(57)【要約】【課題】  設定された印刷位置の調整値の適用する範囲を、プリンタ装置の機構的な個体差に対応させる。【解決手段】  複数の給紙手段を備えた複数台のプリンタと、前記プリンタのいずれかに出力する印刷データを生成するプリンタホストとを有する印刷システムであって、前記プリンタホストは、印刷に用いるプリンタの選択を受け付ける手段と、選択されたプリンタにおける給紙手段の選択を受け付ける手段と、前記プリンタにおける印刷位置の調整に用いる調整値を受け付ける手段と、前記受け付けた調整値を、選択されたプリンタおよび選択された給紙手段と関連付けて記憶する手段と、印刷実行の際に、選択されたプリンタおよび選択された給紙手段に関連付けられて記憶されている調整値を用いて印刷データを生成する手段とを備えることを特徴とする印刷システムを提供する。【選択図】  図３
2005100234.tif 000002
【特許請求の範囲】
【請求項１】
複数の給紙手段を備えたプリンタと、前記プリンタに出力する印刷データを生成するプリンタホストとを有する印刷システムであって、
前記プリンタホストは、
前記プリンタにおける給紙手段の選択を受け付ける手段と、
前記プリンタにおける印刷位置の調整に用いる調整値を受け付ける手段と、
受け付けた調整値を選択された給紙手段と関連付けて記憶する手段と、
印刷実行の際に、選択された給紙手段に関連付けられて記憶されている調整値を用いて印刷データを生成する手段とを備えることを特徴とする印刷システム。
【請求項２】
複数の給紙手段を備えた複数台のプリンタと、前記プリンタのいずれかに出力する印刷データを生成するプリンタホストとを有する印刷システムであって、
前記プリンタホストは、
印刷に用いるプリンタの選択を受け付ける手段と、
選択されたプリンタにおける給紙手段の選択を受け付ける手段と、
前記プリンタにおける印刷位置の調整に用いる調整値を受け付ける手段と、
受け付けた調整値を、選択されたプリンタおよび前記選択された給紙手段と関連付けて記憶する手段と、
印刷実行の際に、選択されたプリンタおよび選択された給紙手段に関連付けられて記憶されている調整値を用いて印刷データを生成する手段とを備えることを特徴とする印刷システム。
【請求項３】
複数の給紙手段を備えたプリンタに出力する印刷データを生成するプリンタホストであって、
前記プリンタにおける給紙手段の選択を受け付ける手段と、
前記プリンタにおける印刷位置の調整に用いる調整値を受け付ける手段と、
受け付けた調整値を選択された給紙手段と関連付けて記憶する手段と、
印刷実行の際に、選択された給紙手段に関連付けられて記憶されている調整値を用いて印刷データを生成する手段とを備えることを特徴とするプリンタホスト。
【請求項４】
複数の給紙手段を備えた複数台のプリンタのいずれかに出力する印刷データを生成するプリンタホストであって、
印刷に用いるプリンタの選択を受け付ける手段と、
選択されたプリンタにおける給紙手段の選択を受け付ける手段と、
前記プリンタにおける印刷位置の調整に用いる調整値を受け付ける手段と、
受け付けた調整値を、選択されたプリンタおよび選択された給紙手段と関連付けて記憶する手段と、
印刷実行の際に、選択されたプリンタおよび選択された給紙手段に関連付けられて記憶されている調整値を用いて印刷データを生成する手段とを備えることを特徴とするプリンタホスト。
【請求項５】
複数の給紙手段を備えたプリンタに出力する印刷データを生成する処理を支援する処理をコンピュータに実行させるプログラムであって、
前記プリンタにおける給紙手段の選択を受け付ける処理と、
前記プリンタにおける印刷位置の調整に用いる調整値を受け付ける処理と、
受け付けた調整値を選択された給紙手段と関連付けて記憶する処理と、
印刷実行の際に、選択された給紙手段に関連付けられて記憶されている調整値を用いて印刷データを生成させる処理とをコンピュータに実行させることを特徴とするプログラム。
【請求項６】
１または複数の給紙手段を備えた複数台のプリンタのいずれかに出力する印刷データを生成する処理を支援する処理をコンピュータに実行させるプログラムであって、
印刷に用いるプリンタの情報を取得する処理と、
前記プリンタにおける給紙手段の選択を受け付ける処理と、
前記プリンタにおける印刷位置の調整に用いる調整値を受け付ける処理と、
受け付けた調整値を、印刷に用いるプリンタおよび選択された給紙手段と関連付けて記憶する処理と、
印刷実行の際に、印刷に用いるプリンタおよび選択された給紙手段に関連付けられて記憶されている調整値を用いて印刷データを生成させる処理とをコンピュータに実行させることを特徴とするプログラム。
【請求項７】
請求項５または６に記載のプログラムを記録したコンピュータ読み取り可能な記録媒体。
【発明の詳細な説明】
【技術分野】
【０００１】
本発明は、印刷システムに係り、特に、印刷位置の調整に用いられる調整値の管理技術に関する。
【背景技術】
【０００２】
プリンタとプリンタを制御するコンピュータ（プリンタホスト）とを備えて構成される印刷システムでは、通常の印刷用紙に限られず、種々の印刷メディアへの印刷が行なわれる。例えば、ハガキ、ＣＤ／ＤＶＤのレーベル面、伝票、ラベルシール等である。
【０００３】
このような印刷メディアの中には、印刷すべき情報を所定の位置に正確に印刷しなければならないものがある。例えば、ハガキ印刷では、郵便番号が所定の枠内に収まるように印刷しなければならず、伝票印刷では、各項目毎の金額等を、伝票にあらかじめ印刷されているそれぞれの項目に対応した位置に印刷しなければならない。
【０００４】
このため、このような正確な印刷位置が要求される印刷メディアへの印刷を対象としたアプリケーションソフトウェアでは、特許文献１に記載されているような、印刷位置の調節機能を備えているのが一般的である。すなわち、上下、左右毎に、距離あるいはドット数等で調整値を入力することで印刷位置を調節できるようになっている。例えば、試し印刷の結果、印刷位置が所定の位置から上方向に３ｍｍ、左方向に２ｍｍずれている場合には、調整値として下方向に３ｍｍ、右方向に２ｍｍを入力するようにする。そして、この調整値を用いて印刷を実行することで、所定の位置に正確に印刷された印刷結果を得ることができるようになっている。
【０００５】
従来、アプリケーションでは、ある印刷において調整値が設定されるとその値を記憶しておき、その後の同様の印刷には同じ調整値を用いることで、印刷のたびに調整値を入力する手間が省けるようにしている。同様の印刷として、設定された調整値が適用される範囲は、アプリケーションにより異なるが、例えば、以下のような方式が実用化されている。
【０００６】
１）調整値が一度設定されると、再設定されない限り、それ以降そのアプリケーションを利用したすべての印刷について同じ調整値が用いられる方式。２）印刷すべき画像に調整値を付属情報として記憶させ、その画像の印刷について付属情報として記憶された調整値が用いられる方式。３）調整値を印刷メディア、あるいは、伝票種類、ラベルシールの型番等毎に記憶しており、同じ印刷メディアあるいは型番等の印刷時には同じ調整値が用いられる方式。４）調整値そのものをファイルとして保存しておき、印刷すべき画像とは独立に、ユーザがそのファイルを指定することでファイルに記録された調整値が用いられる方式。
【０００７】
【特許文献１】特開２０００−１１０６２号公報
【発明の開示】
【発明が解決しようとする課題】
【０００８】
ところで、印刷位置の調整が必要になる理由は、印刷メディアが有する誤差、作成された画像と実際に印刷される画像との差等が考えられるが、これらの要因よりもプリンタ毎の個体差による影響が大きいと考えられる。さらに、プリンタ毎の個体差は、プリンタ制御のためのソフトウェア的な個体差よりもプリンタ装置の機構的な個体差がより印刷位置に対する影響が大きいと考えられる。
【０００９】
このため、従来の設定された調整値が適用される範囲は、必ずしも実態を反映したものではなく、調整値の不要な再調整を強いられたり、最適でない調整値が適用されて印刷されることが少なくないと考えられる。
【００１０】
本発明は、設定された印刷位置の調整値の適用する範囲を、プリンタ装置の機構的な個体差に対応させることを目的とする。
【課題を解決するための手段】
【００１１】
上記課題を解決するための本発明の第１の態様は、
複数の給紙手段を備えたプリンタと、前記プリンタに出力する印刷データを生成するプリンタホストとを有する印刷システムであって、
前記プリンタホストは、
前記プリンタにおける給紙手段の選択を受け付ける手段と、
前記プリンタにおける印刷位置の調整に用いる調整値を受け付ける手段と、
受け付けた調整値を選択された給紙手段と関連付けて記憶する手段と、
印刷実行の際に、選択された給紙手段に関連付けられて記憶されている調整値を用いて印刷データを生成する手段とを備えることを特徴とする印刷システムである。
【００１２】
一般に、プリンタは、複数種類の印刷メディアに対する印刷を可能とするため、給紙手段として複数の給紙装置を備えている。給紙装置はハードウェア機構であるため、それぞれの個体差が存在する。したがって、それぞれの給紙装置に対応した調整値が必要となる。
【００１３】
このため、本態様では、調整値と給紙手段とを関連付けることで、設定された印刷位置の調整値の適用する範囲を、プリンタ装置の機構的な個体差に対応させるようにしている。
【００１４】
上記課題を解決するための本発明の第２の態様は、
複数の給紙手段を備えた複数台のプリンタと、前記プリンタのいずれかに出力する印刷データを生成するプリンタホストとを有する印刷システムであって、
前記プリンタホストは、
印刷に用いるプリンタの選択を受け付ける手段と、
選択されたプリンタにおける給紙手段の選択を受け付ける手段と、
前記プリンタにおける印刷位置の調整に用いる調整値を受け付ける手段と、
受け付けた調整値を、選択されたプリンタおよび選択された給紙手段と関連付けて記憶する手段と、
印刷実行の際に、選択されたプリンタおよび選択された給紙手段に関連付けられて記憶されている調整値を用いて印刷データを生成する手段とを備えることを特徴とする印刷システムである。
【００１５】
複数台のプリンタが存在する場合には、そのプリンタ毎に給紙装置の個体差が存在する。
【００１６】
このため、本態様では、プリンタと調整値と給紙手段とを関連付けることで、設定された印刷位置の調整値の適用する範囲を、プリンタ装置の機構的な個体差に対応させるようにしている。
【００１７】
また、本発明によれば、プリンタホスト、プログラムおよび記録媒体も提供される。
【発明を実施するための最良の形態】
【００１８】
本発明の実施の形態について図面を参照して説明する。
【００１９】
図１は、本発明を適用した印刷システムのハードウェア構成の概要を説明するためのブロック図である。
【００２０】
本図に示すように、印刷システムは、アプリケーションによる各種処理、プリンタドライバによる印刷処理等を実現するためのコンピュータ５０と、このコンピュータ５０に接続されるプリンタ１０とを備えて構成される。本実施形態において、コンピュータ５０は、印刷データを生成し、プリンタ１０に送信するプリンタホストとして機能する。一方、プリンタ１０は、コンピュータ５０から送られた印刷データに基づいて印刷を行なう印刷装置である。プリンタ１０は、通常の印刷用紙等に加え、ＣＤ−Ｒ／ＤＶＤ−Ｒ等のディスク型記録媒体のレーベル面、ロール紙、厚紙等に印刷を行なうための機能を備え、それぞれに対応した複数の給排紙機構を有している。なお、プリンタ１０の構造によっては、例えば、ディスク型記録媒体の給排紙機構と厚紙の給排紙機構とが物理的に同一の給紙機構を利用している場合がある。このような場合も、両者は、便宜的に別の給排紙機構と扱うものとする。さらに、印刷媒体のサイズ毎に給排紙機構を対応させるようにして、それぞれを別の給排紙機構と扱ってもよい。
【００２１】
コンピュータ５０は、各種プログラムに基づいて処理を行うＣＰＵ（Central Processing Unit）５１、データおよびプログラム等を一時的に記憶するＲＡＭ（Random Access Memory）５２、コンピュータ５０を制御するための各種データ、起動時用プログラム等があらかじめ不揮発的に記憶されているＲＯＭ（Read Only Memory）５３、および、接続されたプリンタ１０等の周辺装置とのデータの送受信をつかさどるインタフェース５４を備えている。
【００２２】
また、コンピュータ５０には、カラーディスプレイ等の表示装置６１、マウス、キーボード等の入力装置６２、ＣＤ−ＲＯＭ等の記録媒体からデータを読み取るメディア読取装置６３、および、内蔵または外付けの補助記憶装置６４、インターネット等のコンピュータネットワークに接続するための通信制御装置６５が接続されている。
【００２３】
プリンタ１０は、例えば、インクジェット方式のカラープリンタである。インクジェット方式のカラープリンタは、筐体内にインクを充填したインクカートリッジを複数備え、このインクを印刷ヘッドから印刷用紙、ＣＤ−Ｒ等の印刷メディアに吹き付けて印刷を行なう。
【００２４】
プリンタ１０は、データの受信等、コンピュータ５０との通信をつかさどるインタフェース１１と、印刷データ、各種プログラム等に基づいて処理を行なうＣＰＵ１２と、印刷データ等を一時的に記憶するＲＡＭ１３と、プリンタ１０を制御するための各種データ、各種プログラム等があらかじめ不揮発的に記憶されているＲＯＭ１４と、インクを吐出する印刷ヘッド、印刷ヘッドを搭載するキャリッジを駆動するキャリッジ駆動機構等からなる印刷機構１５と、印刷用紙等の給排紙を行なう給排紙機構１６とを備えて構成される。
【００２５】
印刷機構１５および給排紙機構１６の概略について図２を参照して説明する。
【００２６】
図２は、プリンタ１０の横断面の構成の概要を示している。プリンタ１０は、印刷機構１５として、複数のインクカートリッジを装着するキャリッジ２１と、キャリッジ２１に取り付けられたインクジェット式の印刷ヘッド２２と、主走査方向（図面に垂直な方向）に往復運動するキャリッジ２１を支持する支持棒２４等を備えている。印刷ヘッド２２は、インクカートリッジからインクの補給を受け、キャリッジ２１の移動に合わせて記録メディアの印刷面にインク滴を吐出してドットを形成し、画像、文字等を印刷する。
【００２７】
また、プリンタ１０は、給排紙機構１６として、普通紙３０、帳票、ラベルシート等を給紙するためのシートフィーダ３１と、ロール紙３２を給紙するためのロール紙給紙口３３と、ＣＤ／ＤＶＤトレイ３４にセットされたＣＤ／ＤＶＤ３５、厚紙等を本体内に取り込むための手差しトレイ３６とを備えている。これらの給紙装置のうちどれを用いるかはコンピュータ５０の後述するプリンタドライバ部５２０（図３参照）から指示することができる。なお、プリンタ１０が給排紙機構１６として備える給紙装置は、これらに限られない。
【００２８】
次に、上記印刷システムによりコンピュータ５０およびプリンタ１０に実現される機能構成について、図３の機能ブロック図を参照して説明する。
【００２９】
本図に示すように、コンピュータ５０上には、印刷支援プログラム部５１０とプリンタドライバ部５２０とが構築される。
【００３０】
印刷支援プログラム部５１０は、本印刷システムでＣＤ／ＤＶＤレーベル印刷、ロール紙印刷、名刺印刷等を行なう場合に、印刷する画像を作成したり、印刷メディア・給紙装置等の印刷条件の設定、印刷位置の調整等を支援するための処理を行なう。
【００３１】
このため、印刷支援プログラム部５１０は、画像の作成・編集機能を有する画像処理部５１１と、プリンタドライバ部５２０とのインタフェース機能を有するドライバインタフェース部５１２と、ユーザからの指示を受け付けたり、印刷支援プログラム部５１０における各種処理を制御する制御部５１３と、設定された印刷位置の調整値を保存する調整値保存部５１４とを備えている。
【００３２】
印刷支援プログラム部５１０は、ＲＡＭ５２にロードした印刷支援アプリケーションプログラムを、ＣＰＵ５１が実行することによりコンピュータ５０上に構築される。ただし、調整値保存部５１４は、例えば、補助記憶装置６４上にファイルとして構築することができる。
【００３３】
プリンタドライバ部５２０は、印刷支援プログラム部５１０が生成した画像データおよび設定を受け付けた印刷条件を入力し、プリンタ１０が解釈できる形式の印刷データに変換し、インタフェース５４を介してプリンタ１０に送信する機能を有している。印刷データへの変換においては、具体的には、読み込んだ画像データをドットの集合体であるイメージデータに展開するラスタライズ処理と、イメージデータの色変換処理および中間調処理を行なうハーフトーン処理と、処理後のイメージデータを印刷データに変換する処理とが行なわれる。
【００３４】
プリンタドライバ部５２０は、ＲＡＭ５２にロードしたプリンタドライバプログラムを、ＣＰＵ５１が実行することによりコンピュータ５０上に構築される。
【００３５】
印刷支援アプリケーションプログラムあるいはプリンタドライバプログラムは、例えば、ＣＤ−ＲＯＭ等の可搬型の記録媒体に記録することで流通させることができる。そして、この記録媒体を、メディア読取装置６３で読み取ることにより、コンピュータ５０にプログラムをインストールすることができる。また、例えば、インターネット等のコンピュータネットワークを介してコンピュータ５０にインストールすることもできる。
【００３６】
図３において、プリンタ１０上には、通信部１１０、印刷制御部１２０および印刷実行部１３０が構築される。
【００３７】
通信部１１０は、コンピュータ５０との間の情報の送受信、例えば、印刷データの受信、プリンタ本体に関する情報の送信等を行なう。
【００３８】
印刷制御部１２０は、コンピュータ５０から送信された印刷データを解釈して、印刷データに基づく印刷をプリンタ１０で実行するための制御を行なう。印刷制御部１２０は、ＲＡＭ１３にロードしたプログラムおよび印刷データに基づいて、ＣＰＵ１２が処理を行なうことによりプリンタ１０上に構築される。
【００３９】
印刷実行部１３０は、印刷制御部１２０の指示にしたがって、印刷を実行する。印刷実行部１３０は、印刷機構１５、給排紙機構１６がそれぞれの処理を行なうことでプリンタ１０上に構築される。
【００４０】
次に、印刷支援プログラム部５１０の処理について説明する。
【００４１】
印刷支援プログラム部５１０は、印刷に用いる画像を生成するための処理と、生成した画像を印刷するための処理を行なう。
【００４２】
すなわち、ユーザは、印刷支援プログラム部５１０の画像処理部５１１を用いて、印刷領域に印刷する画像を生成・編集することができる。画像処理部５１１は、ユーザから、印刷の目的、例えば、ＣＤ／ＤＶＤレーベル印刷、名刺印刷、ラベルシール等の指定を受け付けると、その目的に対応した編集画面を表示して、設定された印刷領域に対応する画像を表示して、ユーザからの画像生成・編集に関する指示を受け付ける。かかる画像処理は、従来行なわれている技術を用いることができるため説明は省略する。
【００４３】
印刷支援プログラム部５１０の制御部５１３は、印刷の際の給紙装置の設定を受け付けることができる。給紙装置の設定は、例えば、シートフィーダ、ロール紙、手差しトレイをメニュー形式で表示し、ユーザから選択を受け付けることで行なうことができる。メニューで選択可能な給紙装置は、プリンタ１０が備える給排紙機構１６で可能な給紙装置に対応する。給排紙機構１６で可能な給紙装置に関する情報は、プリンタドライバ部５２０から取得することができる。印刷支援プログラム部５１０のドライバインタフェース部５１２は、印刷実行の際に、設定された給紙装置をプリンタドライバ部５２０に通知する。あるいは、印刷支援プログラム部５１０の制御部５１３は、印刷実行の際に、印刷の目的、印刷用紙等の設定に基づいて、給排紙機構１６で可能な給紙装置最適な給紙装置を判断し、プリンタドライバ部５２０に通知するようにしてもよい。
【００４４】
また、印刷支援プログラム部５１０の制御部５１３は、印刷位置の調整値の設定を受け付ける。図４は、印刷位置の調整値の設定を受け付けるための画面の一例を示す図である。本図の例では、印刷メディアとしてＣＤ／ＤＶＤを用いて、ＣＤ／ＤＶＤレーベル印刷を行なう場合の調整値の設定を受け付けるための画面の例である。本図に示すように、上下方向の調整値と、左右方向の調整値とを受け付けることにより、調整値が設定される。本画面上で「ＯＫ」ボタンのクリックを受け付けることで設定される調整値が確定する。
【００４５】
印刷支援プログラム部５１０は、印刷実行の際に、設定された調整値を加味した画像データを生成して、プリンタドライバ部５２０に送信する。
【００４６】
本実施例において、印刷支援プログラム部５１０の制御部５１３は、印刷位置の調整値の設定を受け付けると、受け付けた調整値を給紙装置と関連付けて調整値保存部５１４に記憶する。以降の印刷処理においては、給紙装置が設定されると、その給紙装置に関連付けられた調整値をデフォルトとして用いて印刷位置を調整するようにする。
【００４７】
例えば、給紙装置として手差しトレイが指定されている場合に、ある調整値が設定された場合には、以降の手差しトレイでの印刷においては、印刷メディアの指定にかかわらず、同じ調整値が適用される。一方、給紙装置としてシートフィーダ、あるいは、ロール紙が指定された場合には、この調整値は適用されずに、それぞれの給紙装置における調整値が適用される。
【００４８】
このように、本実施例では、印刷位置の調整値を給紙装置と関連付けて管理することにより、設定された印刷位置の調整値の適用する範囲を、プリンタ装置の給紙機構の個体差に対応させることができる。
【００４９】
次に、本発明の別例として複数台のプリンタが接続されている場合の実施例について説明する。
【００５０】
図５は、複数台のプリンタを含む印刷システムのハードウェア構成の概要を説明するためのブロック図である。本図に示すようにコンピュータ５０に複数台のプリンタ１０ａ〜１０ｃが接続され、コンピュータ５０は、いずれのプリンタ１０からも印刷を行なうことができるようになっている。なお、コンピュータ５０およびプリンタ１０のハードウェア構成は、上記の例と同様とすることができる。また、コンピュータ５０も複数台接続されていてもよい。
【００５１】
図６は、上記印刷システムによりコンピュータ５０およびプリンタ１０ａ〜１０ｃに実現される機能構成について説明するためのブロック図である。本例では、コンピュータ５０は、各プリンタ１０それぞれに対応したプリンタドライバ部５２０を備えている。ユーザは、印刷させたいプリンタに対応したプリンタドライバ部５２０を選択することで、任意のプリンタから印刷を行なうことができる。
【００５２】
本実施例において、コンピュータ５０上における印刷すべき画像の生成処理、給紙装置の設定処理は、上記の例と同様に行なわれる。ただし、設定可能な給紙装置はプリンタ１０ａ〜１０ｃの機能に依存するため、あらかじめ印刷に用いるプリンタ１０が指定されているものとする。また、１０ａ〜１０ｃのプリンタには、設定可能な給紙装置が１種類のプリンタが含まれていてもよい。印刷支援プログラム部５１０は、例えば、コンピュータ５０を制御するオペレーティングシステムを介して、指定されているプリンタ１０に関する情報を取得することができる。
【００５３】
また、印刷位置の調整値の設定も上記の例と同様に受け付ける。そして、本実施例において、印刷支援プログラム部５１０の制御部５１３は、印刷位置の調整値の設定を受け付けると、受け付けた調整値をプリンタおよび給紙装置と関連付けて補助記憶装置６４等に記憶する。以降の印刷処理においては、プリンタが指定され、給紙装置が設定されると、そのプリンタにおける給紙装置に関連付けられた調整値を用いて印刷位置が調整されることになる。
【００５４】
例えば、プリンタ１０ａが印刷を行なうプリンタとして指定されている状態で、給紙装置がシートフィーダの場合である調整値が設定されると、以降のプリンタ１０ａにおけるシートフィーダでの印刷においては、印刷メディアの指定にかかわらず、同じ調整値が適用されることになる。一方、プリンタ１０ｂあるいは１０ｃが印刷を行なうプリンタとして指定された場合には、給紙装置がシートフィーダであってもこの調整値は適用されない。ただし、デフォルトの値として適用するようにして、別途調整値が設定された場合に、プリンタ毎に独立させて適用するようにしてもよい。
【００５５】
このように、本実施例では、印刷位置の調整値をプリンタおよび給紙装置と関連付けて管理することにより、設定された印刷位置の調整値の適用する範囲を、プリンタ装置毎に存在する給紙機構の個体差に対応させることができる。
【図面の簡単な説明】
【００５６】
【図１】印刷システムのハードウェア構成の概要を説明するためのブロック図。
【図２】プリンタ１０を上部から見たときの構成の概要を示す図。
【図３】印刷システムの機能構成を示すブロック図。
【図４】調整値の設定を受け付けるための画面の一例を示す図。
【図５】ハードウェア構成の別例を説明するためのブロック図。
【図６】印刷システムの機能構成の別例を示すブロック図。
【符号の説明】
【００５７】
１０…プリンタ、１１…インタフェース、１２…ＣＰＵ、１３…ＲＡＭ、１４…ＲＯＭ、１５…印刷機構、１６…給排紙機構、２１…キャリッジ、２２…印刷ヘッド、２４…支持棒、３０…普通紙、３１…シートフィーダ、３２…ロール紙、３３…ロール紙給紙口、３４…ＣＤ／ＤＶＤトレイ、３５…ＣＤ／ＤＶＤ、３６…手差しトレイ、４０…ガイド、５０…コンピュータ、５１…ＣＰＵ、５２…ＲＡＭ、５３…ＲＯＭ、５４…インタフェース、６１…表示装置、６２…入力装置、６３…メディア読取装置、６４…補助記憶装置、６５…通信制御装置、１１０…通信部、１２０…印刷制御部、１３０…印刷実行部、５１０…印刷支援プログラム部、５１１…画像処理部、５１２…ドライバインタフェース部、５１３…制御部、５１４…調整値保存部、５２０…プリンタドライバ部
【図１】
2005100234.tif 000003
【図２】
2005100234.tif 000004
【図３】
2005100234.tif 000005
【図４】
2005100234.tif 000006
【図５】
2005100234.tif 000007
【図６】
2005100234.tif 000008